(57)【特許請求の範囲】
【請求項１】
容器体１の口頸部２に装着して容器体内へと垂下させる鞘管３を設け、該鞘管には、下端部に下を入側、上を出側とする吸込弁４を設けるとともに、該吸込弁の入側に容器体１内へと深く挿入させる吸上パイプ５を垂設し、かつ、出側の上に溢流孔６を穿設し、上記鞘管３内に、所定量の液体を吸入する注射器型の計量取出器７を着脱自在に嵌挿して、該計量取出器の口部８を上記吸込弁４の出側に着脱自在に嵌合させた鞘管付き注射器型計量取出器において、前記計量取出器７は、下端を上記口部８とし、上端をセンターヘッド10で閉塞し、上部外周に外向きスカート11を一体に連設し、かつ、該外向きスカートの下に通液孔12を有する口筒９を設け、また、該口筒の外側に、内周が上記外向きスカート11と上下摺動自在に嵌合し、かつ、下端に口筒外周と上下摺動自在に嵌合する内向きスカート14を備えた摺動筒13を設け、そして、該摺動筒13の外周を上記鞘管３内に上下可動に内装させて成り、かつ上記センターヘッド10は、細長いキャップ形状として、気密かつ液密に口筒９上端に嵌合させたことを特徴とする鞘管付き注射器型計量取出器。
【請求項２】
容器体１の口頸部２に装着して容器体内へと垂下させる鞘管３を設け、該鞘管には、下端部に下を入側、上を出側とする吸込弁４を設けるとともに、該吸込弁の入側に容器体１内へと深く挿入させる吸上パイプ５を垂設し、かつ、出側の上に溢流孔６を穿設し、上記鞘管３内に、所定量の液体を吸入する注射器型の計量取出器７を着脱自在に嵌挿して、該計量取出器の口部８を上記吸込弁４の出側に着脱自在に嵌合させたことを特徴とする鞘管付き注射器型計量取出器において、前記計量取出器７は、下端を上記口部８とし、上端をセンターヘッド10で閉塞し、上部外周に外向きスカート11を備え、かつ、該外向きスカートの下に通液孔12を有する口筒９を設け、また、該口筒の外側に、内周が上記外向きスカート11と上下摺動自在に嵌合し、かつ、下端に口筒外周と上下摺動自在に嵌合する内向きスカート14を備えた摺動筒13を設け、そして、該摺動筒13の外周を上記鞘管３内に上下可動に内装させて成り、前記センターヘッド10を上記口筒９内に引き出し可能に収納し、かつ、両者間にそのセンターヘッド10の引き出しの上限で係合する係止手段15を講じたことを特徴とする鞘管付き注射器型計量取出器。
【請求項３】
容器体１の口頸部２に装着して容器体内へと垂下させる鞘管３を設け、該鞘管には、下端部に下を入側、上を出側とする吸込弁４を設けるとともに、該吸込弁の入側に容器体１内へと深く挿入させる吸上パイプ５を垂設し、かつ、出側の上に溢流孔６を穿設し、上記鞘管３内に、所定量の液体を吸入する注射器型の計量取出器７を着脱自在に嵌挿して、該計量取出器の口部８を上記吸込弁４の出側に着脱自在に嵌合させた鞘管付き注射器型計量取出器において、前記計量取出器７は、下端を上記口部８とし、上端を頂壁30で閉塞し、かつ、上部に通液孔12を有する口筒９を設け、該口筒９の外側に、内スカート28と外スカート29とを有するスカート部材27を下端に装着したキャップ状のセンターヘッド10を引き出し可能に被着して、その内スカート28を口筒９の外周に上下摺動自在に嵌合させ、更に、該センターヘッドとその口筒９との間に該センターヘッドの引き出しの上限で係合する係止手段15を講じ、また、上記口筒９及びセンターヘッド10の外側に、内周が上記スカート部材27の外スカート29と上下摺動自在に嵌合し、かつ、下端に上記口筒９の外周と上下摺動自在に嵌合する内向きスカート14を備えた摺動筒13を設け、そして、該摺動筒13の外周を上記鞘管３内に上下可動に内装させて成ることを特徴とする鞘管付き注射器型計量取出器。
【請求項４】
前記鞘管３と前記摺動筒13との間に、縦溝その他の通気路32を設けるとともに、その摺動筒13の下降限で該通気路を閉じる閉塞手段34を講じて成る請求項１、請求項２、又は請求項３記載の鞘管付き注射器型計量取出器。
【発明の詳細な説明】
【０００１】
【発明の属する技術分野】
本発明は、液体石鹸、液体洗剤、液体シャンプー、液体リンス等の液体を収容した容器体の口頸部に装着して使用する鞘管付き注射器型計量取出器に関するものである。
【０００２】
【従来の技術】
従来、液体を収容した容器体の口頸部にスポイトを着脱自在に装着した液体容器が知られている。
この種の液体容器では、スポイトで容器体内の液体を吸い上げては取り出すことができるので、取り出しが容易であり、そのスポイトで要所へと注入することもできて、便利である。
【０００３】
【発明が解決しようとする課題】
しかし、取出量が操作の手加減に頼られるため、計量が面倒であった。
また、容器体内の液体を全て取り出し得るようにするには、スポイトの先端（口部）が容器体の底部にまで達していることを要して、容器体が大きくなればスポイトも大きくなるため、設計の自在性を欠き、大きな容器体に小出しの小さなスポイトを装備させることなどは甚だ困難であった。
本発明は、これらの問題点を解決しようとするものである。
【０００４】
【課題を解決するための手段】
上記目的達成のため、請求項１の鞘管付き注射器型計量取出器の発明は、容器体１の口頸部２に装着して容器体内へと垂下させる鞘管３を設け、該鞘管には、下端部に下を入側、上を出側とする吸込弁４を設けるとともに、該吸込弁の入側に容器体１内へと深く挿入させる吸上パイプ５を垂設し、かつ、出側の上に溢流孔６を穿設し、上記鞘管３内に、所定量の液体を吸入する注射器型の計量取出器７を着脱自在に嵌挿して、該計量取出器の口部８を上記吸込弁４の出側に着脱自在に嵌合させた鞘管付き注射器型計量取出器において、前記計量取出器７は、下端を上記口部８とし、上端をセンターヘッド10で閉塞し、上部外周に外向きスカート11を一体に連設し、かつ、該外向きスカートの下に通液孔12を有する口筒９を設け、また、該口筒の外側に、内周が上記外向きスカート11と上下摺動自在に嵌合し、かつ、下端に口筒外周と上下摺動自在に嵌合する内向きスカート14を備えた摺動筒13を設け、そして、該摺動筒13の外周を上記鞘管３内に上下可動に内装させて成り、かつ上記センターヘッド10は、細長いキャップ形状として、気密かつ液密に口筒９上端に嵌合させている。
【０００６】
請求項２の鞘管付き注射器型計量取出器の発明は、容器体１の口頸部２に装着して容器体内へと垂下させる鞘管３を設け、該鞘管には、下端部に下を入側、上を出側とする吸込弁４を設けるとともに、該吸込弁の入側に容器体１内へと深く挿入させる吸上パイプ５を垂設し、かつ、出側の上に溢流孔６を穿設し、上記鞘管３内に、所定量の液体を吸入する注射器型の計量取出器７を着脱自在に嵌挿して、該計量取出器の口部８を上記吸込弁４の出側に着脱自在に嵌合させたことを特徴とする鞘管付き注射器型計量取出器において、前記計量取出器７は、下端を上記口部８とし、上端をセンターヘッド10で閉塞し、上部外周に外向きスカート11を備え、かつ、該外向きスカートの下に通液孔12を有する口筒９を設け、また、該口筒の外側に、内周が上記外向きスカート11と上下摺動自在に嵌合し、かつ、下端に口筒外周と上下摺動自在に嵌合する内向きスカート14を備えた摺動筒13を設け、そして、該摺動筒13の外周を上記鞘管３内に上下可動に内装させて成り、前記センターヘッド10を上記口筒９内に引き出し可能に収納し、かつ、両者間にそのセンターヘッド10の引き出しの上限で係合する係止手段15を講じている。
【０００７】
請求項３の鞘管付き注射器型計量取出器の発明は、容器体１の口頸部２に装着して容器体内へと垂下させる鞘管３を設け、該鞘管には、下端部に下を入側、上を出側とする吸込弁４を設けるとともに、該吸込弁の入側に容器体１内へと深く挿入させる吸上パイプ５を垂設し、かつ、出側の上に溢流孔６を穿設し、上記鞘管３内に、所定量の液体を吸入する注射器型の計量取出器７を着脱自在に嵌挿して、該計量取出器の口部８を上記吸込弁４の出側に着脱自在に嵌合させた鞘管付き注射器型計量取出器において、前記計量取出器７は、下端を上記口部８とし、上端を頂壁30で閉塞し、かつ、上部に通液孔12を有する口筒９を設け、該口筒９の外側に、内スカート28と外スカート29とを有するスカート部材27を下端に装着したキャップ状のセンターヘッド10を引き出し可能に被着して、その内スカート28を口筒９の外周に上下摺動自在に嵌合させ、更に、該センターヘッドとその口筒９との間に該センターヘッドの引き出しの上限で係合する係止手段15を講じ、また、上記口筒９及びセンターヘッド10の外側に、内周が上記スカート部材27の外スカート29と上下摺動自在に嵌合し、かつ、下端に上記口筒９の外周と上下摺動自在に嵌合する内向きスカート14を備えた摺動筒13を設け、そして、該摺動筒13の外周を上記鞘管３内に上下可動に内装させて成る。
【０００８】
請求項４の鞘管付き注射器型計量取出器の発明は、請求項１、請求項２又は請求項３記載の鞘管付き注射器型計量取出器において、前記鞘管３と前記摺動筒13との間に、縦溝その他の通気路32を設けるとともに、その摺動筒13の下降限で該通気路を閉じる閉塞手段34を講じて成る。
【０００９】
【発明の実施の形態】
その1.図１乃至図３は、請求項１、請求項４の鞘管付き注射器型計量取出器の発明に係る実施の形態を示している。図１乃至図３において、１は、液体を収容する容器体、２は、該容器体の口頸部、３は、該口頸部に装着して容器体内へと垂下させる鞘管、４は、該鞘管の下端部に下を入側、上を出側として設けた吸込弁、５は、該吸込弁の入側から垂設して容器体１内へと深く挿入させた吸上パイプ、６は、吸込弁４の出側の上に穿設した溢流孔である。７は、鞘管３内に着脱自在に嵌挿するとともに、口部８を上記吸込弁４の出側に着脱自在に嵌合させた、所定量の液体を吸入する注射器型の計量取出器である。なお、これらの部材は、いずれも合成樹脂成形によるものである。
【００１０】
以下、図１乃至図３に基づき、各部につき詳述する。
容器体１の口頸部２は、外周に螺条を有している。
鞘管３は、容器体１内へと口頸部２から挿入させる縦型シリンダ１６の上端に、内周に螺条を有してその口頸部２へと螺着させる装着筒１７を外側へ折り返した状態にて連設しており、また、縦型シリンダ１６の下端部を３段に縮径させて下段部に小径の嵌合筒１８を設け、該嵌合筒内の中途部に下を入側、上を出側とする玉弁から成る吸込弁４を設け、嵌合筒１８の下端に吸上パイプ５の上端を嵌合させ、かつ、中段部に溢流孔６を穿設している。
計量取出器７は、上端部だけをやや大径とし下端を口部８とした小径筒の口筒９を設け、該口筒の上端に細長いキャップ状のセンターヘッド１０を嵌合連結させて気密水密に閉塞し、かつ、口筒の上部外周に外向きスカート１１を一体に連設するとともに、該外向きスカートの直下に通液孔１２を穿設し、また、その口筒の外側に、内周が上記外向きスカート１１と上下摺動自在に嵌合し、外周が上記縦型シリンダ１６の内周と上下動自在に嵌合し、かつ、下端に口筒外周と上下摺動自在に嵌合する内向きスカート１４を備えた摺動筒１３を設け、該摺動筒の上端に外方へと突出する左右一対の指当片１９を一体に設け、更に、摺動筒の上端内縁に摺動リング２０を固定して、該摺動リングをセンターヘッド１０の外周に比較的ルーズに上下摺動自在に嵌合させている。
鞘管３の縦型シリンダ１６と計量取出器７の摺動筒１３との間には、縦型シリンダ１６の内面適所に縦溝による通気路３２を設けており、また、摺動筒１３の下端には、該摺動筒が下降限に位置した際に、縦型シリンダ１６の縮径した下端部に嵌合することでその通気路３２を閉塞する弁筒３３を垂設して、摺動筒の下降限で通気路３２を閉じる閉塞手段３４を形成している。この閉塞手段３４については、弁筒３３に代えて、図７に示すように、縦型シリンダ１６の上端部内周と摺動筒１３の上端部外周との間を栓状に嵌合させる閉塞手段３４を講じてもよい。この場合、縦型シリンダ１６の上部に容器体１用の空気孔３５を穿設することができる。なお、通気路３２は、摺動筒１３の外面に設けてもよい。
【００１１】
如上の構成であり、使用に当たっては、図１に示すように、鞘管３及び吸上パイプ５を、液体を収容した容器体１内に口頸部２を通じて挿入して、その吸上パイプ５を容器体底部に達するまで深く進入させ、装着筒17をもって口頸部２に螺着する。また、計量取出器７を鞘管３内に嵌挿し、口筒９先端の口部８を吸込弁４の出側すなわち嵌合筒18の上端に嵌合させる。なお、容器体１に収容する液体は、鞘管３の溢流孔６より若干低い位置までに止めるとよい。この状態で輸送等するときは、計量取出器７の摺動筒13を下降限にまで下げておく。これによって、図１乃至図３の場合では、摺動筒13の下端の弁筒33が鞘管３の縦型シリンダ16の縮径した下端部に嵌合し、また、図７の場合では、摺動筒13の上端部外周が鞘管３の縦型シリンダ16の上端部内周に栓状に嵌合して、閉塞手段34が閉じ、通気路32及び溢流孔６を通じて容器体１内の液体が外部へ漏れることはない。容器体１内の液体を取り出すときは、計量取出器７において、まず、例えばセンターヘッド10の頂面に拇指を当て、左右一対の指当片19に人指し指と中指をかけて、指当片19を引き上げ、図１の状態にする。次に、図３に示すように、摺動筒13の左右一対の指当片19を指で押し下げて、摺動筒13を下降させる。これにより、内向きスカート14以下の摺動筒13内が負圧化し、容器体１内の液体が吸上パイプ５、吸込弁４を通じて口筒９内に吸い上げられ、更に、通液孔12を経てその摺動筒13内に流入する。なお、摺動筒13の昇降の際には、図１乃至図３の場合では、弁筒33が縦型シリンダ16の縮径した下端部から離れ、また、図７の場合では、摺動筒13の上端部外周が縦型シリンダ16の上端部内周から離脱して、閉塞手段34が開くので、摺動筒13と縦型シリンダ16との間には、通気路32及び溢流孔６を通じて外気及び容器体１内ヘッドスペースの空気が自由に出入りするから、摺動筒13の昇降に対する空気抵抗を生じることはなく、また、容器体１内は常に大気圧に保たれる。そこで、計量取出器７を鞘管３から引き抜いて、例えばセンターヘッド10の頂面に拇指を当て、左右一対の指当片19に人指し指と中指をかけて、指当片19を引き上げると、摺動筒13が上昇して、該摺動筒内及び口筒９内の液体が口部８から押し出される。ところで、指当片19したがって摺動筒13を上昇限から下降限まで適正に下降させれば、計量取出器７の吸入量はその都度一定量であるから、液体の取出量も一定量とすることができる。ただし、初回には、吸上パイプ５内に空気が残っていることがあるために必ずしも定量とはならないが、次回からは、その取出量は一定となる。つまり、次回からは、吸上パイプ５内が液体で満たされ、かつ、吸込弁４の出側に溢流孔６で定まる一定の液面レベルで液体が残留し、この残留液体中に口筒９の口部８が一定条件で進入することとなるので、次回からの吸入の初期条件が一定となり、したがって、次回からの取出量は、常に一定となるのである。
【００１２】
その2.図４は、請求項２、請求項４の鞘管付き注射器型計量取出器の発明に係る実施の形態を示している。図４の場合は、上述したその1.の実施の形態において、計量取出器７の口筒９を全長にわたって同径とし、該口筒内にセンターヘッド10を引き出し可能に収納し、かつ、口筒９の上端とセンターヘッド10の下端との間に、センターヘッド10の引き出しの上限で自動的に係合する係止手段15を講じている。なお、縦型シリンダ16の下端部を４段に縮径させて、３段目と４段目とで嵌合筒18を形成している。また、摺動リング20の内縁をセンターヘッド10の小径化に相応させて内方へと張出させている。係止手段15は、口筒９の上端内縁に、短い内向きフランジ21を周設する一方、センターヘッド10の下端に、底板22を一体に連設するとともに、該底板に連ねて口筒９の内向きフランジ21と衝合する外向きフランジ23を周設し、該外向きフランジには垂下スカート24を垂設して、該垂下スカートを口筒９内に気密水密に上下摺動可能に嵌合させ、かつ、センターヘッド10の下端部適所に、上昇した外向きフランジ23が口筒９の内向きフランジ21の下面に衝合した際に該内向きフランジの上面に自動的に係合する複数の弾性係止爪25を配し、また、口筒９の上端に栓状頭頂部材26を嵌合させて固定し、下降した該栓状頭頂部材の下縁を摺動リング20の上縁に突き当てるようにしている。なお、その他の構造については、その1.の場合と実質的に同じのつき、説明を省略する。
【００１３】
如上の構成であり、その基本的な使用状態は、その１．の場合と同じであるが、輸送や持ち運びなどの使用前乃至使用準備段階におけるセンターヘッド１０の操作が異なっている。これを図４の（１）  乃至（６）  の行程にしたがって順次に説明する。
（１）  使用前段階
予め、その１．の場合と同様にして、液体を収容した容器体１に鞘管３及び吸上パイプ５を装着する。また、計量取出器７を鞘管３内に嵌挿し、口筒９先端の口部８を吸込弁４の出側すなわち嵌合筒１８の上端に嵌合させる。
ただし、センターヘッド１０は、口筒９内に押し込んだ状態におき、使用前の輸送や取り扱いなどにおいて嵩張らないようにする。
（２）  使用準備段階▲１▼
容器体１内の液体を取り出すときは、栓状頭頂部材２６に指をかけてセンターヘッド１０を十分に引き出す。この引き出しで、センターヘッド１０の外向きフランジ２３が口筒９の内向きフランジ２１の下面に衝合すると同時に、センターヘッド１０の複数の弾性係止爪２５がその内向きフランジ２１の上面に自動的に係合し、センターヘッド１０が口筒９と連結した状態となり、上方へと突出して、その１．の場合と実質的に同じ使用態勢となる。なお、このセンターヘッド１０の引き出し操作は、鞘管３から引き抜いた状態で行ってもよい。
（３）  使用準備段階▲２▼
計量取出器７を鞘管３から引き抜き（前段階での引き抜きを含む。）、例えばセンターヘッド１０の頂面に拇指を当て、左右一対の指当片１９に人指し指と中指をかけて、指当片１９を引き上げ、摺動筒１３を上昇させる。これにより、内向きスカート１４以下の摺動筒１３内が縮小する。なお、この指当片１９したがって摺動筒１３の引き上げは、前段階でのセンターヘッド１０の引き出しと一緒に行ってもてもよい。
その後、再び計量取出器７を鞘管３内へと挿入する。
（４）  吸入段階
摺動筒１３の左右一対の指当片１９を指で押し下げると、摺動筒１３が下降して、内向きスカート１４以下の摺動筒１３内が負圧化し、容器体１内の液体が吸上パイプ５、吸込弁４を通じて口筒９内に吸い上げられ、更に、通液孔１２を経てその摺動筒１３内に流入する。
押し下げが上昇限から下降限まで適正に行われれば、計量取出器７の吸入量がその都度一定量であるから、液体の取出量も一定量とすることができる。ただし、初回には、吸上パイプ５内に空気が残っていることがあるために必ずしも定量とはならないが、次回からは、吸上パイプ５内が液体で満たされ、かつ、吸込弁４の出側に溢流孔６で定まる一定の液面レベルで液体が残留し、この残留液体中に口筒９の口部８が一定条件で進入することとなるので、次回からの吸入の初期条件が一定となり、したがって、次回からの取出量は、常に一定となる。
（５）  計量取出器の引き抜き段階
液体を吸入した計量取出器７をそのまま鞘管３から引き抜く。
（６）  液体注出段階
引き抜いた計量取出器７において、例えばセンターヘッド１０の頂面に拇指を当て、左右一対の指当片１９に人指し指と中指をかけて、指当片１９を引き上げると、摺動筒１３が上昇して、該摺動筒内及び口筒９内の液体が口部８から押し出される。
その後は、そのままの状態で再び鞘管３内へと戻せばよい。
なお、その１．と同様の構造に基づくその他の使用状態、操作、作用、動作等は、その１．の場合と変わらないから、説明を省略する。
【００１４】
その3.図５、図６は、請求項３の鞘管付き注射器型計量取出器の発明に係る実施の形態を示している。図５、図６の場合は、上述したその1.の実施の形態において、口筒９を全長にわたって同径とし、該口筒の外側にキャップ状のセンターヘッド10を引き出し可能に被着し、該センターヘッド10の下端に、スカート部材27を嵌合連結させ、該スカート部材には段付き内スカート28と段付き外スカート29を形成して、これらの内外スカート28，29を口筒９の外周と摺動筒13の内周とに気密水密に上下摺動可能に嵌合させ、かつ、口筒９の上端とセンターヘッド10の下端との間に、センターヘッド10の引き出しの上限で自動的に係合する係止手段15を講じている。なお、縦型シリンダ16の下端部を４段に縮径させて、３段目に溢流孔６を穿設し、４段目で嵌合筒18を形成している。係止手段15は、口筒９の上端に、頂壁30を一体に連設するとともに、小さく突出して上昇したスカート部材27の段付き内スカート28の上面を突き当たらせる外向きフランジ31を突設し、かつ、口筒９の該外向きフランジの少し下にその段付き内スカート28の下面を係止する複数の弾性係止爪25を配している。なお、その他の構造については、その1.の場合と実質的に同じにつき、説明を省略する。また、使用状態、操作、作用、動作等は、上述のその2.の場合と同様であるから、説明を省略する。
【００１５】
【発明の効果】
請求項１、請求項２、請求項３、請求項４の発明によれば、既述構成であるから、計量取出器７により容器体１内の液体を吸上パイプ５、吸込弁４を通じて的確に支障なく吸入させて取り出すことができ、また、鞘管３の下端部には吸上パイプ５、吸込弁４及び溢流孔６により容器体１内の液体を一定の液面レベルで引き込んでおくことができて、この引き込み液体中に計量取出器７の口部８を一定状態で挿入させることができ、しかも、計量取出器７には所定操作でその都度定量の吸入が得られるから、計量取出器７により容易に確実に計量取り出しができ、そして、容器体１が大きく、計量取出器７が小さくても、寸法上の制約は生じず、設計の自在性を確保できる。
【００１６】
加えて、請求項２、請求項３、請求項４の発明によれば、既述構成であるから、輸送や持ち運びなどの際には、センターヘッド10の押し込み態勢によりセンターヘッド10が突出せず、嵩高とならないので、収容スペースを有利にでき、また、損傷を少なくできる。
【００１７】
更に、請求項４の発明によれば、既述構成であるから、輸送や持ち運びなどの際には、閉塞手段34により通気路32を閉じることができて、容器体１に収容した液体の不意の液漏れをなくすことができ、また、摺動筒13の昇降操作の際には、閉塞手段34が開いて通気路32を開放させることができて、摺動筒13の昇降に空気抵抗がかからず、軽快にかつ的確に操作でき、しかも、容器体１内には通気路32及び溢流孔６を通じて外気を出入させることができ、容器体１内を常に大気圧に維持できる。
【図面の簡単な説明】
【図１】請求項１、請求項４の鞘管付き注射器型計量取出器の発明に係る実施の形態その1.を示す一部截断正面図である。
【図２】同実施の形態その1.の平面図である。
【図３】同実施の形態その1.の動作状態を示す一部截断正面図である。
【図４】請求項２、請求項４の鞘管付き注射器型計量取出器の発明に係る実施の形態その2.の構造、操作・動作行程を示す一部截断説明正面図である。
【図５】請求項３、請求項４の鞘管付き注射器型計量取出器の発明に係る実施の形態その3.を示す一部截断正面図である。
【図６】同実施の形態その3.の動作状態を示す一部截断正面図である。
【図７】請求項４の鞘管付き注射器型計量取出器の発明に係るその他の実施の形態を示す一部截断正面図である。
【図１】
0003631337.tif 000002
【図２】
0003631337.tif 000003
【図３】
0003631337.tif 000004
【図４】
0003631337.tif 000005
【図５】
0003631337.tif 000006
【図６】
0003631337.tif 000007
【図７】
0003631337.tif 000008